【手続補正書】
【提出日】平成21年1月30日(2009.1.30)
【手続補正１】
【補正対象書類名】特許請求の範囲
【補正対象項目名】全文
【補正方法】変更
【補正の内容】
【特許請求の範囲】
【請求項１】
部屋配置（２０）であって、
天井（２４）、床（２）及び少なくとも二つの壁（３、４、５、６）を有する、上に置かれるプレハブ式の少なくとも二つの耐力部屋ユニット（１）を具備する部屋配置（２０）において、
前記天井、床及び少なくとも二つの壁が、少なくとも主にセルラーボードから作られることを特徴とする、部屋配置（２０）。
【請求項２】
部屋ユニット（１）が、少なくとも一つの壁（４、５、６）を包含し、その壁が、主にセルラーボードから作られ、前記壁の第一と第二の側面が、床面と前記床面の上のスペースとから実際の間隔を有するように部屋を分割し、それにより、前記床面の第一部分は前記部屋ユニットの内部の床となるように意図され、前記床面の第二部分は前記部屋ユニットの外部の床となるように意図されることを特徴とする、請求項１に記載の部屋配置。
【請求項３】
前記床の前記セルラーボードの芯の方向は、前記部屋を分割する前記壁の方向に対して主に垂直に配置されており、それにより、前記床面の第二部分は支持構造無しで自立支持する突出る部分となることを特徴とする、請求項２に記載の部屋配置。
【請求項４】
前記部屋ユニットのバルコニー（９）又は前記部屋配置の通路のスペース（１０）が、前記床の端末部に配置されていることを特徴とする、請求項２に記載の部屋配置。
【請求項５】
扉（５６）が、前記床の上のスペースを分割する前記壁（４、５５）に配置されていることを特徴とする、請求項２に記載の部屋配置。
【請求項６】
一つの部屋ユニットの床（２）が、一つの連続するセルラーボードの構造から成ることを特徴とする、請求項１に記載の部屋配置。
【請求項７】
少なくとも一つの壁のセルラーボードが、前記部屋配置の外壁（４、５５）として配置されていることを特徴とする、請求項１に記載の部屋配置。
【請求項８】
前記外壁及び／又は前記床のセルラーボードの外面が、ステンレス鋼から作られる又はステンレス鋼のプレートによって覆われることを特徴とする、請求項７に記載の部屋配置。
【請求項９】
少なくとも二つの前記部屋ユニットが、第一固定手段（３４）によって、垂直方向で互いに結合されていることを特徴とする、請求項１に記載の部屋配置。
【請求項１０】
前記上に置かれる部屋ユニットは、前記上部の部屋ユニットの壁の下端部（３１ｂ）が、前記下部の部屋ユニットの壁の上端部（３１ａ）に置かれるために、一直線に結合されることを特徴とする、請求項９に記載の部屋配置。
【請求項１１】
前記部屋ユニット（１）の前記天井（２４）及び／又は前記床（２）が、前記耐力壁（３、４、５、６）の側面に取付けられていることを特徴とする、請求項１から１０のいずれか一項に記載の部屋配置。
【請求項１２】
前記第一固定手段が、前記下部の部屋ユニットの壁の上端部に適合する第一の形状材（３４ａ、３７ａ）と前記上部の部屋ユニットの壁の下端部に適合する第二の形状材（３４ｂ、３７ｂ）とを有し、その壁が一直線に据付けられるようになっている結合異形材（２７、３７、４０）、及び前記第一と第二の形状材を結合する要素（３５、３９）を包含することを特徴とする、請求項１０又は１１に記載の部屋配置。
【請求項１３】
少なくとも二つの前記部屋ユニットが、第二固定手段（２７、３７）によって、水平方向で互いに結合されていることを特徴とする、請求項１から１２のいずれか一項に記載の部屋配置。
【請求項１４】
前記第二固定手段が、互いに隣接して設置される前記部屋ユニットの壁の上端部と適合する第一と第二の形状材（３４ａ、３４ｃ）を有する結合異形材（２７、３７、４０）と、前記第一と第二の形状材を結合する要素（３５）とを包含することを特徴とする、請求項１３に記載の部屋配置。
【請求項１５】
前記第二固定手段が、互いに隣接して設置される前記部屋ユニットの壁の下端部と適合する第一と第二の形状材（３４ｂ、３４ｄ）を有する結合異形材（２７、３７、４０）と、前記第一と第二の形状材を結合する要素（３５）とを包含することを特徴とする、請求項１３又は１４に記載の部屋配置。
【請求項１６】
前記第一と第二の固定手段が、同一の及び同様の部材（２７、３７、４０）であることを特徴とする、請求項９から１５のいずれか一項に記載の部屋配置。
【請求項１７】
前記天井、床及び少なくとも二つの壁が、少なくとも主にセルラーボードから作られ、前記セルラーボードの第一と第二の表面プレート（１２ａ、１２ｂ）及びそれらの間の芯（１３）が、少なくとも主に金属から作られることを特徴とする、請求項１に記載の部屋配置。
【請求項１８】
前記第一固定手段が、前記部屋ユニット（１）を結合するための結合異形材（２７、３７、４０）を包含し、その結合異形材が、
- 二つの下部の部屋ユニットの壁の上端部のための二つの下向きに開口する第一形状材（３４ａ、３４ｃ）と、
- 二つの上部の部屋ユニットの壁の下端部のための二つの上向きに開口する第二形状材（３４ｂ、３４ｄ）と、
- 前記第一と第二の形状材を結合する要素（３５）と、
を包含することを特徴とする、請求項９から１７のいずれか一項に記載の部屋配置。
【請求項１９】
二つの上に置かれる部屋ユニットを含み、
それらの間の結合が、
- セルラーボードから作られる前記下部の部屋ユニットの壁（３１ａ）と、
- セルラーボードから作られる前記上部の部屋ユニットの壁（３１ｂ）と、
- 前記部屋ユニット（１）を結合するための結合異形材（２７）と、
を包含し、
その結合異形材が、
ａ）第一形状材（３４ａ）であって、その内側に前記下部の部屋ユニットの壁の上端部が、配置され取付けられている第一形状材（３４ａ）と、
ｂ）第二形状材（３４ｂ）であって、その内側に前記上部の部屋ユニットの壁の下端部が、配置され取付けられている第二形状材（３４ｂ）と
ｃ）前記第一と第二の形状材を結合する要素（３５）と、
を包含することを特徴とする、請求項１に記載の部屋配置。
【請求項２０】
部屋配置が、
- セルラーボードから作られる部屋ユニットの二つの下壁（３１ａ、３１ｃ）と、
- セルラーボードから作られる部屋ユニットの二つの上壁（３１ｂ、３１ｄ）と、
- 結合異形材（２７）と、
を包含し、
前記結合異形材が、
ａ）水平方向で互いに間隔を取る二つの下向きに開口する第一形状材（３４ａ、３４ｃ）であって、その形状材の内側に、前記下部の部屋ユニットの壁の上端部が配置され取付けられている第一形状材（３４ａ、３４ｃ）と、
ｂ）水平方向で互いに間隔を取る二つの上向きに開口する第二形状材（３４ｂ、３４ｄ）であって、その形状材の内側に、前記上部の部屋ユニットの壁の下端部が配置され取付けられている第二形状材（３４ｂ、３４ｄ）と、
ｃ）前記第一と第二の形状材を結合する要素（３５）と、
を包含することを特徴とする、請求項１９に記載の部屋配置。
【請求項２１】
前記部屋配置がさらに、一つ又はそれ以上の絶縁プレート（３６ａ、３６ｂ）を包含し、絶縁プレートが前記第一と第二の形状材の内側で前記結合異形材によって結合されるために、前記結合異形材と前記下壁及び前記上壁との間に配置されていることを特徴とする、請求項１９又は２０に記載の部屋配置。
【請求項２２】
- 前記結合異形材（２７）が、
ｄ）前記二つの第一形状材の間に配置されている上向きに開口する第三形状材（３５）と、
- 前記結合異形材に結合される前記部屋ユニットの壁（３１）の平面と主に平行に配置されていて、下端部が前記第三形状材（３５）の内側に配置されている第二絶縁プレート（５８）と、
を包含することを特徴とする、請求項２０に記載の部屋配置。
【請求項２３】
前記天井、床、及び少なくとも二つの壁が、二つのほぼ平行な表面プレートと、それらの間に配置される芯とから形成される、少なくとも主にセルラーボードから成ることを特徴とする、請求項１から２２のいずれか一項に記載の部屋配置。
【請求項２４】
幾つかのプレハブ式の部屋ユニットを包含する前記部屋配置が、自立支持構造であることを特徴とする、請求項１から２３のいずれか一項に記載の部屋配置。
【請求項２５】
前記部屋配置の耐力フレームが、前記上に置かれる部屋ユニットの壁構造体から形成されることを特徴とする、請求項１から２４のいずれか一項に記載の部屋配置。
【請求項２６】
請求項１に記載の前記部屋配置を包含することを特徴とする、船舶。
【請求項２７】
前記部屋配置が、自立支持船室のし切りを形成することを特徴とする、請求項２６に記載の船舶。
【請求項２８】
前記部屋配置の耐力フレームが、前記上に置かれる部屋ユニットの壁構造体から形成されることを特徴とする、請求項２６又は２７に記載の船舶。
【請求項２９】
請求項１に記載の前記部屋配置を包含することを特徴とする、建物。
【請求項３０】
前記部屋配置が、自立支持のアパートの棟を形成することを特徴とする、請求項２９に記載の建物。
【請求項３１】
前記部屋配置の耐力フレームが、前記上に置かれる部屋ユニットの壁構造体から形成されることを特徴とする、請求項２９又は３０に記載の建物。
【請求項３２】
プレハブ式の少なくとも二つの耐力部屋ユニット（２１）の据付場所で部屋配置を構築するための方法であって、
前記耐力部屋ユニット（２１）の各々が、少なくとも主にセルラーボードから作られる、少なくとも天井（２４）、床（２）及び少なくとも二つの壁（３、４、５、６）を有し、
前記方法が少なくとも以下の、
- 据付場所の耐力面にプレハブ式の少なくとも一つの耐力部屋ユニット（２１）を据付けることによって前記部屋配置（２０）の耐力の第一階層（２２ａ）を建造する段階と、
- 前記耐力の第一階層にプレハブ式の少なくとも一つの耐力部屋ユニットを据付けることによって前記部屋配置の第二階層（２２ｂ）を建造する段階と、
- 前記上に置かれる部屋ユニットの壁（３１ａ、３１ｂ）であって、セルラーボードから作られ前記壁を互いに結合異形材によって結合する段階と、
を含み、
前記結合異形材が、
ａ）第一形状材（３４ａ）であって、その内側に前記下部の部屋ユニットの壁の上端部が配置され取付けられる第一形状材（３４ａ）と、
ｂ）第二形状材（３４ｂ）であって、その内側に前記上部の部屋ユニットの壁の下端部が配置され取付けられる第二形状材（３４ｂ）と、
ｃ）前記第一と第二の形状材を結合する要素（３５）と、
を包含する方法。
【請求項３３】
前記方法がさらに、
- 前記先行の耐力階層にプレハブ式の耐力部屋ユニットを据付けることによって前記部屋配置において所望する数の耐力階層（２２）を建造する段階と、
- 前記上に置かれる部屋ユニットを結合異形材によって互いに結合する段階と、
を含み、
前記結合異形材が、
ａ）第一形状材（３４ａ）であって、その内側に前記下部の部屋ユニットの壁の上端部が配置され取付けられる第一形状材（３４ａ）と、
ｂ）第二形状材（３４ｂ）であって、その内側に前記上部の部屋ユニットの壁の下端部が配置され取付けられる第二形状材（３４ｂ）と、
ｃ）前記第一と第二の形状材を結合する要素（３５）と、
を包含することを特徴とする、請求項３２に記載の方法。
【請求項３４】
前記方法がさらに、
- 前記部屋配置の耐力の第一階層で、互いに隣接する二つ又はそれ以上の部屋ユニットを建造する段階と、
- セルラーボードから作られる部屋ユニットの二つの下壁（３１ａ、３１ｃ）と、セルラーボードから作られる前記部屋ユニットの二つの上壁（３１ｂ、３１ｄ）とを、結合異形材で結合することによって、互いに階層を取付ける段階と、
を含み、
前記結合異形材が、
ａ）水平方向で互いに間隔を取る二つの下向きに開口する第一形状材（３４ａ、３４ｃ）であって、その形状材の内側に前記下部の部屋ユニットの壁の上端部が配置され取付けられる第一形状材（３４ａ、３４ｃ）と、
ｂ）水平方向で互いに間隔を取る二つの上向きに開口する第二形状材（３４ｂ、３４ｄ）であって、その形状材の内側に前記上部の部屋ユニットの壁の下端部が配置され取付けられる第二形状材（３４ｂ、３４ｄ）と、
ｃ）前記第一と第二の形状材を結合する要素（３５）と、
を包含することを特徴とする、請求項３２又は３３に記載の方法。
【手続補正２】
【補正対象書類名】明細書
【補正対象項目名】００６７
【補正方法】変更
【補正の内容】
【００６７】
図４は、四つの部屋ユニット１ａ、１ｂ、１ｃ、及び１ｄの結合箇所を示す。上部分３１ａと３１ｃ及び天井３２ａと３２ｃが、部屋ユニット１ａと１ｃに属することが分かる。下部分３１ｂと３１ｄ及び床３２ｂと３２ｄが、部屋ユニット１ｂと１ｄに属すことが分かる。さらに、Ｕ字異形材３３ａ−ｄが見られ、それによって床と天井が壁に取付けられている。結合異形材２７において、Ｕ字異形材は、結合異形材によって共に結合されるようになっている四つの壁３１の各々のために形成されている。これらの固定手段３４ａ−ｄは、Ｕ字異形材３５と結合されている。隣接する部屋ユニット間の間隙Ａは、Ｕ字異形材３５によって決定される。Ａは例えば25-50mmであり、一方、壁３１ａ−ｄの厚さは、例えば30-60mmである。絶縁プレート５８は、Ｕ字異形材３５の中に配置される。セラミックマット３６ａ−３６ｄ、又はある別の適切に薄い断熱材及び遮音材は、Ｕ字異形材３４の端部と壁３１との間に据付けられている。床と天井との間に残された空のスペース、例えば上の部屋ユニットの床３２ｂと下の部屋ユニットの天井３２ａとの間に残されるスペース５０を、そこにエンジニアリング、例えば配管及び配線等々を据付けることによって利用することが出来る。
【手続補正３】
【補正対象書類名】明細書
【補正対象項目名】００６８
【補正方法】変更
【補正の内容】
【００６８】
図５は、図４の結合異形材２７に対する代替の実施形態を示す。結合異形材３７は、二つの要素３７ａと３７ｂから成り、それらを据付前に、例えば溶接によって互いに取付けることが出来る。結合異形材３７の壁３１ａ−ｄのために意図された形状は、それらの形状において図４の物とは異なる。図５は、壁のための前記形状材３７ａと３７ｂの端部３８ａ−ｄが、形状材３７ａと３７ｂから離れて曲げられていることを示す。従って壁３１は、結合異形材３７により容易に据付けられる。容易な据付は重要であり、時には部屋モジュールがむしろ狭くて厄介なスペースに据付けられる。セラミックマット３６ａ−ｄは、形状材３７ａと３７ｂ及び壁の端部３１ａ−ｄの間に設置されている。結合異形材３７の中央に、結合の実施に役立つ要素３９がある。据付中に、要素３９の対角の下面４５は、下の壁３１ａと３１ｃをそれらの適切な場所に導き、そこは形状材３７ａの底部である。据付中に、要素３９の対角の上面４４は、上の壁３１ｂと３１ｄをそれらの適切な場所に導き、そこは形状材３７ｂの底部である。このように、要素３９の形状と大きさは、結合部の隣接する壁、例えば壁３１ａと３１ｃの互いの間隔を決定する。